(57)【要約】      （修正有）【課題】絵画用額縁等を室内の壁面に吊下げるようにした吊下げ具であって、レールを室内の天井に容易に取付けることができ、しかも室内の見栄えを損なうことがなく、さらにはレールを固定した状態でスライダを手軽に取付け、又は取り外しができるようにした吊下げ具を提供する。【解決手段】天井１０に固定する長尺の天板２と該天板の長手方向に沿って垂下状に形成された背板３とからなるレール４の背板３の下辺に沿って上方へ折り返された形状を有する係止片５が形成され、該レール４の係止片５に引掛けることが可能なフック８ａ、８ｂがスライダ６の両端にて互い違いの方向に形成され、該スライダ６の夫々のフックには各フックの自由端側から内側へ切込まれてなる係止溝が形成され、該スライダ６の一方のフック８ａの係止溝に線材１２の結び目１３を引掛けた状態で他方のフック８ｂをレール４の係止片５に引掛けるようにしたものである。【選択図】図２
0003135552.tif 000002
【実用新案登録請求の範囲】
【請求項１】
天井に固定する長尺の天板であって間隔をあけて複数のネジ穴が形成された天板と該天板の長手方向に沿って垂下状に形成された背板とからなる硬質合成樹脂から形成されたレールの前記背板の下辺に沿って上方へ折り返された形状を有する係止片が形成されると共に、レールの係止片に引掛けることが可能なフックがスライダの両端にて互い違いの方向に形成され、該スライダの夫々のフックには各フックの自由端側から内側へ切込まれてなる係止溝が形成され、該スライダの一方のフックの係止溝に線材の結び目を引掛けた状態で他方のフックを前記レールの係止片に引掛けるようにした吊下げ具において、前記レールの背板の端部を所定幅だけ切欠き、該切欠いた部位に前記レールの天板の端部を切欠き側に折曲することによって、該折曲した部分を前記レールの端部におけるストッパとする一方、前記レールの途中における前記天板の自由端側にＶ字形の切欠きを形成し、該切欠きで前記レールを切欠き側に折り曲げることによって天井の角部に前記レールを固定可能とし、且つ前記レールにおける天板の下面に突出形成された規制片が前記係止片に沿って前記レールの全長にわたり設けられ、前記規制片と前記係止片との間の隙間は前記係止片に引掛けた前記スライダを該隙間から取り外すことができない幅とし、さらに前記係止片の片側端部に前記スライダの片側のフックを挿脱可能とする切欠部が形成され、該切欠部から前記スライダの片側フックを挿入して前記係止片に引掛けると共に、該スライダを前記切欠部にて取り外すことができるようにしたことを特徴とする吊下げ具。
【考案の詳細な説明】
【技術分野】
【０００１】
本考案は、絵画用額縁等を室内の壁面に吊下げるようにした吊下げ具に関する。
【背景技術】
【０００２】
従来から、絵画用額縁等を室内の壁面又は天井等に吊下げるために、例えば、図１４（ａ）、(ｂ)に示すレールとスライダが用いられている。このレール３２は、図１４（ａ）に示すように壁面側に取り付ける場合と、図１４(ｂ)に示すように天井側に取り付ける場合とがある。そのレール３２の構造は、長尺の枠本体３３の内側に形成された溝３４に沿って表側に長尺の開口部３５が形成され、該開口部３５は両側に挟持片３６、３６を有し、枠本体３３の背部には一方に短尺の延長片３７ａと、他方に長尺の延長片３７ｂとが形成されている。
【０００３】
このレール３２の収まりは、図１４（ａ）のように壁付けの場合は両側の延長片３７ａ、３７ｂを壁側のボード下地材３９ａにネジ３８で固定し、図１４(ｂ)のように天井付けの場合は両側の延長片３７ａ、３７ｂを天井側のボード下地材３９ｂにネジ３８で固定することによって取付けられ、さらに両側の延長片３７ａ、３７ｂの上に壁又は天井のボード４４ａ、４４ｂを被せるため、レール３２は壁又は天井のボード４４ａ、４４ｂに埋め込まれた状態となる。
【０００４】
一方、図１４（ａ）又は(ｂ)に示すように、このレール３２に沿って摺動可能なスライダ４０は、レール３２の溝３４内に収容される摺動部４１とレール３２の開口部３５から突出する突出片４２とを有し、この突出片４２の先部に形成された穴４２ａに不図示の額縁等を吊下げる紐又はワイヤ等を結合することが可能とされている。従って、このスライダ４０を上記のレール３２に取付けるには、スライダ４０をレール３２の端部から挿入する以外に方法がなく、上記のように壁側又は天井側のボード下地材３９ａ、３９ｂに固定したレール３２にスライダ４０を追加したり、交換するには、少なくともレール３２の端部を露出させる面倒な作業が必要となる。
【０００５】
また、上記のレール３２は、壁又は天井のボード４４ａ、４４ｂの施工時に取付けられるもので、後付けで取付けられる構造を有するものではない。従って、予め上記のレール３２が取付けられていない室内にレール３２を取付けるには、室内の壁や天井のボード４４ａ、４４ｂの一部を取り外すという面倒な作業が必要となる。
【０００６】
さらに、他の従来技術として、特許文献１に開示された「ピクチャーレール構造」は、室内の壁面の上縁部に回り縁が設けられ、この回り縁の一部に形成された切欠部にピクチャーレールを収容して固定するという構造を有する。
【０００７】
また、特許文献２に開示された「天井と壁面との境界部分の構造及び回り縁」は、天井と壁面との境界部分に回り縁が設けられ、この回り縁と壁面との間に下方に開口した溝が設けられ、この溝にピクチャーレールを固定した構成とされている。
【０００８】
従って、上記の特許文献１及び２は、いずれも回り縁に形成した切欠き又は溝にピクチャーレールを取付けたものであり、回り縁が不可欠の構成要素となっている。また、そのピクチャーレールの構造は、図１４（ａ）、(ｂ)に示した構造と同様に、レールの表側に設けられた長尺の開口部の両側に挟持片を有するものであり、レールの溝内に収容されたスライダを交換したり、その溝内にスライダを追加したりするには、レールの端部を露出するか、その端部を露出できないときは、レールの取り外しが必要になるという不都合があった。
【特許文献１】特開２００３−５２５０４号公報
【特許文献２】特開２００５−２４０４３５号公報
【考案の開示】
【考案が解決しようとする課題】
【０００９】
本考案は、上記の事情に鑑みてなされたもので、絵画用額縁等を室内の壁面に吊下げるようにした吊下げ具であって、レールを室内の天井に容易に取付けることができ、しかも室内の見栄えを損なうことがなく、さらにはレールを固定した状態でスライダを手軽に取付け、又は取り外しができるようにした吊下げ具を提供することを目的とする。
【００１０】
さらに、本考案は、地震等の振動が起きてレールに取付けたスライダが飛び跳ねるようなことがあっても、該スライダが係止片から外れることがなく、安全な状態で絵画等を吊下げておくことができ、また係止片に引掛けたスライダを簡単に取り外すことができる吊下げ具を提供することを目的とする。
【課題を解決するための手段】
【００１１】
上記の目的を達成するために、本考案における請求項１の吊下げ具は、天井に固定する長尺の天板であって間隔をあけて複数のネジ穴が形成された天板と該天板の長手方向に沿って垂下状に形成された背板とからなる硬質合成樹脂から形成されたレールの前記背板の下辺に沿って上方へ折り返された形状を有する係止片が形成されると共に、レールの係止片に引掛けることが可能なフックがスライダの両端にて互い違いの方向に形成され、該スライダの夫々のフックには各フックの自由端側から内側へ切込まれてなる係止溝が形成され、該スライダの一方のフックの係止溝に線材の結び目を引掛けた状態で他方のフックを前記レールの係止片に引掛けるようにした吊下げ具において、前記レールの背板の端部を所定幅だけ切欠き、該切欠いた部位に前記レールの天板の端部を切欠き側に折曲することによって、該折曲した部分を前記レールの端部におけるストッパとする一方、前記レールの途中における前記天板の自由端側にＶ字形の切欠きを形成し、該切欠きで前記レールを切欠き側に折り曲げることによって天井の角部に前記レールを固定可能とし、且つ前記レールにおける天板の下面に突出形成された規制片が前記係止片に沿って前記レールの全長にわたり設けられ、前記規制片と前記係止片との間の隙間は前記係止片に引掛けた前記スライダを該隙間から取り外すことができない幅とし、さらに前記係止片の片側端部に前記スライダの片側のフックを挿脱可能とする切欠部が形成され、該切欠部から前記スライダの片側フックを挿入して前記係止片に引掛けると共に、該スライダを前記切欠部にて取り外すことができるようにしたことを特徴とする。
【考案の効果】
【００１２】
以上説明した本考案の吊下げ具において、レールは、天井面に後付けでネジ固定することができる構造であるため、施工業者でない素人であっても、簡単に取付けることが可能である。
【００１３】
また、本考案によるスライダの一方のフックの係止溝に線材の結び目を引掛けた状態で他方のフックをレールの係止片に引掛けるという簡単な作業によって、スライダをレールに取付けることができるため、従来のようにレールの端部からスライダを取付ける必要がなく、スライダをレールの任意位置に後付けで取付けたり、取り外すことが非常に簡単な手作業によって可能となる。
【００１４】
また、本考案によるスライダは、フックがスライダの両端にて互い違いの方向に形成され、スライダの夫々のフックには各フックの自由端側から内側へ切込まれてなる係止溝が形成されているため、スライダに額縁等を吊下げるための線材を取付けるには、例えば線材に結び目を作り、この結び目をいずれかのフックの係止溝に引掛けるという簡単な方法によって取付けることが可能となる。また、線材を取付けていない側のフックをレールの係止片の任意位置に、自由に引掛けたり、取り外すことが可能であり、スライダの後付けがきわめて容易である。
【００１５】
また、本考案のレールを硬質合成樹脂により形成すると、安価に製造することが可能であるほか、着色が容易となり、金属で形成した場合とは異なる意匠性を呈することができ、例えば白色系の天井の隅等にレールを取付けた場合、このレールを白色とすることによって、レールがほとんど目立たない状況で取付け可能となる。
【００１６】
また、本考案のレールの構造において、レールの背板の端部を所定幅だけ切欠き、該切欠いた部位にレールの天板の端部を切欠き側に折曲することによって、該折曲した部分をレールの端部におけるストッパとすることが可能であり、このような加工はレールを上記の硬質合成樹脂により形成することで、より簡単に行うことが可能となる。
【００１７】
さらに、本考案のレールの構造において、レールの途中における天板の自由端側にＶ字形の切欠きを形成し、該切欠きでレールを切欠き側に折り曲げることによって、天井の角部等にレールを固定することが可能となる。このような加工もまた、上記のようにレールを硬質合成樹脂によって作成することで、容易に行うことが可能となる。
【００１８】
さらに、本考案によるスライダの各フックに該フックの自由端側から内側に切込まれてなる係止溝が並列して複数設けられた構成とし、スライダの幅を広げることによってスライダの強度を増強することができ、また線材を引掛ける方法如何によって、複数の係止溝のいずれかを使用して自由に線材を取付けることが可能となる。
【００１９】
また、本考案において、前記レールの両端に前記係止片の端部を塞ぐストッパが設けられると共に、該レールにおける天板の下面に突出形成された規制片が前記係止片に沿って前記レールの全長にわたり設けられ、前記規制片と前記係止片との間の隙間は前記係止片に引掛けた前記スライダを該隙間から取り外すことができない幅とし、さらに前記係止片の一部に前記スライダの片側のフックを挿脱可能とする切欠部が形成された構成としたことにより、係止片の切欠部からスライダの片側のフックを挿入し、このフックを係止片に引掛けた状態で切欠部以外の任意の位置まで移動すると、スライダは規制片と係止片との隙間から取り外すことができない状態となる。
【００２０】
これによって、地震等の振動が起きてレールに取付けたスライダが飛び跳ねることがあっても、スライダは係止片から外れることがなく、安全な状態で絵画等を吊下げておくことが可能となる。また、係止片に引掛けたスライダを切欠部まで移動することによって、該スライダを切欠部から簡単に取り外すことが可能となる。
【００２１】
また、上記の切欠部を係止片の片側端部に設けることによって、スライダを取りはずすときは、スライダを片側のストッパに当接するまで移動して切欠部から引き出すことにより、簡単に取り外すことが可能となる。
【考案を実施するための最良の形態】
【００２２】
以下、本考案の実施例について図面を参照しながら説明する。
【実施例１】
【００２３】
本考案による吊下げ具１は、図１又は図２（ａ）、(ｂ)に示すように、天井１０に固定する長尺の天板２と該天板２の長手方向に沿って垂下状に形成された背板３とからなるレール４の背板３の下辺に沿って上方へ折り返された形状を有する係止片５が形成され、該レール４の係止片５に引掛けることが可能なフック８ａ、８ｂがスライダ６の両端にて互い違いの方向に形成され、該スライダ６の夫々のフック８ａ、８ｂには各フック８ａ、８ｂの自由端側から内側へ切込まれてなる係止溝１１ａ、１１ｂが形成され、該スライダ６の一方のフック８ａの係止溝１１ａに線材１２の結び目１３を引掛けた状態で他方のフック８ｂをレール４の係止片５に引掛けるようにしたものである。
【００２４】
このような吊下げ具１についてより詳細に述べると、本実施例は、図１に示すように、絵画等を収納した額縁１４を吊下げるために用いる吊下げ具１を構成したものである。この吊下げ具１は、天井１０に後付けで取付けるレール４と該レール４に任意位置で着脱自在に取付けるスライダ６とから構成され、スライダ６に取付けられた紐又はワイヤ等の線材１２を額縁１４の上部に設けられた取付金具２０、２０等に固定することによって、額縁１４を天井１０の下方に吊下げることを可能としたものである。なお、スライダ６の使用数は、額縁１４の大きさ等によって１個又は２個以上でもよいし、スライダ６の使用数に応じて線材１２の使用数も変化するものである。
【００２５】
上記の構成において、レール４は、図２（ａ）に示すように、天井１０に固定する長尺の天板２と該天板２の長手方向に沿って垂下状に形成された背板３とからなり、この背板３の下辺に沿って上方へ折り返された形状を有する係止片５が形成され、該レール４の長尺の天板２に複数のネジ穴１５、１５…が間隔をあけて形成されたことにより、夫々のネジ穴１５に挿通したネジ１７でレール４を天井１０に固定することを可能としている。
【００２６】
また、このレール４は硬質合成樹脂から形成するのが好ましい。ただし、他のアルミニウム等の金属材料から構成してもよいが、上記のように硬質合成樹脂から形成することにより、図３(ｂ)に示すように、レール４の端部にストッパ１６を形成することが容易となる。
【００２７】
即ち、レール４の端部にストッパ１６を形成するには、図４(ａ)に示すように、レール４の背板３の端部２ａを所定幅だけ切欠き（切欠き部１８）、図４(ｂ)に示すように、この切欠いた部位にレール４の天板２の端部２ａを切欠き側に折曲することによって、図４(ｃ)に示すように、この折曲した部分をレール４の端部におけるストッパ１６として機能させることができる。また、図１に示すようにレール４の係止片５に引掛けたスライダ６を横方向にスライドした際、該スライダ６が係止片５の端部から外れないようにすることができる。また、このストッパ１６をレール４の両端部に形成することにより、レール４の意匠性を向上することができる。
【００２８】
さらに、上記のようにレール４を硬質合成樹脂から形成することによって、図５（ａ）に示すように直状に形成されたレール４の途中における天板２の自由端側に、図５(ｂ)に示すＶ字形の切欠き２４を形成し、該切欠き２４でレール４を該切欠き側に折り曲げることによって、図５(ｃ)に示すように、天井の角部の壁面２５に沿ってレール４を固定することが可能となる。この切欠き２４は、レール４を天井の直角の角部をなす壁面２５に沿って取り付ける場合、切欠き２４の角度αを９０度としてレール４を直角に折曲すればよいが、他に天井の角部が直角ではない場合、その角度に応じて切欠き２４の角度αを調整して折曲すればよい。
【００２９】
一方、スライダ６は、図６（ａ）、(ｂ)に示すように、硬質合成樹脂等による小片７の両端に、上記のレール４（図２(ｂ)参照）の係止片５に引掛けることが可能な形状のフック８ａ、８ｂを互い違いの方向に形成してなるものである。このスライダ６はレール４と同様に硬質合成樹脂から形成してもよいし、他の合成樹脂、又はアルミニウム等の金属から形成してもよい。また、スライダ６の各フック８ａ、８ｂには該フック８ａ、８ｂの自由端側から内側の折曲部位９の途中まで切込まれてなる係止溝１１ａ、１１ｂが形成され、該スライダ６の一方のフック８ａの係止溝１１ａに線材１２の結び目１３を引掛けた状態（図７(ｂ)、(ｃ)参照）で、図８（図８において２Ａは天板２の切欠き部である）に示すように、他方のフック８ｂをレール４の係止片５の任意位置に引掛けることが可能となる。
【００３０】
なお、図１に示すように、本考案による吊下げ具１で額縁１４を吊下げた場合、額縁１４の荷重が線材１２を下方へ引き下げることにより、スライダ６の係止溝１１ａに引掛けられた線材１２の結び目１３が係止溝１１ａに食い込んで外れ難い状況となる。従って、上記のように線材１２の結び目１３をスライダ６の係止溝１１ａに簡易に引掛けただけの取付け状況であっても、額縁１４を安全に吊下げた状況で展示することが可能となる。
【００３１】
また、他の実施例として、スライダ６のフック８ａ、８ｂは、図９（ａ）、(ｂ)に示すように、フック８ａ、８ｂの自由端側から内側の折曲部位９の途中まで切込まれてなる係止溝１１ａを並列して複数（図９(ａ)、(ｂ)は２個）設けた構成とすることができる。この場合、スライダ６の幅を広くすることによってスライダ６の強度を増すことができ、重量のある額縁を吊下げる場合でも安全な吊下げが可能となる。また、スライダ６のフック８ａ、８ｂに複数の係止溝１１ａ、１１ｂを形成した場合、線材１２をどのように係止するかは自由であるが、上記のように線材１２に結び目１３を作らずに、少なくとも２個の係止溝（例えば１１ａ、１１ａ）に線材１２を引掛けるようにしてもよい。
【００３２】
さらに、上記のように幅を広く形成したスライダ６を用いて額縁１４を吊下げる場合、図９(ｂ)に示すようにスライダ６の係止溝１１ａに線材１２を引掛けるのではなく、図１０（ａ）、(ｂ)に示すように、スライダ６のフック８ａの隙間９ａ（図１０(ｂ)参照）に線材１２を掛けるようにしてもよく、このような線材１２の簡単な引掛け作業によって、幅の狭い額縁１４の場合、左右のバランスを均等に取った状態で吊下げることが可能となる。
【００３３】
なお、本考案の吊下げ具は、上記の実施例に記載してあるように天井の下方に絵画用額縁を吊下げる場合に使用するほか、絵画等を収納したパネルや装飾品等を吊下げて展示する場合にも使用することが可能である。
【００３４】
また、本実施例の吊下げ具１のレール４は、図１１又は図１２（この図はレール４の天板２に破断部２Ａを形成してある）に示すように、天井１０にネジ１７等で固定する長尺の天板２と該天板２の長手方向に沿って垂下状に形成された背板３とを有し、該レール４の背板３の下辺に沿って上方へ折り返された形状を有する係止片５が形成されている。
【００３５】
このような構成において、レール４の両端に係止片５の端部を塞ぐストッパ１６、１６が設けられると共に、該レール４における天板２の下面に突出形成された規制片２１が係止片５に沿ってレール４の全長にわたり設けられている。このような構成において、規制片２１の下端と係止片５の上端との間の隙間５ａは係止片５に引掛けたスライダ６を該隙間５ａから取り外すことができない幅（Ｌ１）とされている。この隙間５ａの幅Ｌ１は、図１３(ｃ)に示すように、スライダ６の片側フック８ｂの長さＬ２よりも短い長さである。
【００３６】
さらに、レール４の構成において、係止片５の一部には切欠部１９が形成されている。この切欠部１９は、図１１又は図１２に示すように、係止片５の片側端部に設けられた構成とするのが好ましい。こうすることによって、スライダ６を取り外すときは、スライダ６を片側のストッパ１６に当接するまで移動して切欠部１９から引き出すことにより、簡単に取り外すことが可能となる。
【００３７】
さらに、本実施例において、スライダ６は、レール４の係止片５に引掛けることが可能なフック８ａ、８ｂがスライダ６の両端にて互い違いの方向に形成され、夫々のフック８ａ、８ｂには各フック８ａ、８ｂの自由端側から内側へ切込まれてなる係止溝１１ａ、１１ｂが形成され、該スライダ６の一方のフック８ａの係止溝１１ａに線材１２の結び目１３を引掛けた状態で他方のフック８ｂをレール４の係止片５に引掛けることが可能とされている。
【００３８】
上記の構成において、図１３（ａ）、(ｂ)に示すように、レール４の係止片５の切欠部１９からスライダ６の片側フック８ｂを挿入して、図１３(ｃ)に示すように係止片５に引掛けた状態で切欠部１９以外の任意の位置まで移動すると、スライダ６は規制片２１と係止片５との隙間５ａから取り外すことができない状態となり、地震等の振動が起きてスライダ６が飛び跳ねたりすることがあっても、スライダ６は係止片５から外れることがなく、安全な状態で、スライダ６に取付けた線材１２に絵画等を吊るしておくことが可能となる。また、図１１に示すように、係止片５に引掛けたスライダ６を切欠部１９まで移動することによって、該スライダ６を切欠部１９から簡単に取り外すことができる。
【産業上の利用可能性】
【００３９】
本考案の吊下げ具は、絵画用額縁等を室内の壁面に吊下げるようにした吊下げ具であって、レールを室内の天井に容易に取付けることができ、しかも室内の見栄えを損なうことがなく、さらにはレールを固定した状態でスライダを手軽に取付け、又は取り外しができるようにした吊下げ具として利用可能である。
【図面の簡単な説明】
【００４０】
【図１】本考案による実施例１の吊下げ具によって額縁を吊下げた状況を示す正面図である。
【図２】本考案による吊下げ具のレールを天井の隅に取付けた状況を示す断面図であり、(ａ)はスライダを取付ける前の状況を示し、(ｂ)はスライダを取付けた後の状況を示す。
【図３】(ａ)は本考案による吊下げ具のレールの端部を示す斜視図であり、(ｂ)はその端部にストッパを設けた状況を示す斜視図である。
【図４】（ａ）〜(ｃ)は、本考案による吊下げ具のレールの端部にストッパを形成するための加工方法を示す正面図である。
【図５】（ａ）〜(ｃ)は、本考案による吊下げ具のレールを直角に折曲する加工方法を示す上面図である。
【図６】(ａ)は本考案による吊下げ具のスライダの側面図であり、(ｂ)はその正面図である。
【図７】（ａ）、(ｂ)は、本考案による吊下げ具のスライダに線材を取付ける方法を示す斜視図であり、(ｃ)はスライダの断面図である。
【図８】本考案による吊下げ具のレールの任意位置にスライダを引掛けた状況を示す一部切欠き斜視図である。
【図９】本考案による吊下げ具の他の実施例に係るスライダの斜視図であり、(ａ)は線材をフックに引掛ける前の状況を示し、(ｂ)は線材をフックに引掛けた状況を示す。
【図１０】(ａ)は図９（ａ）、(ｂ)に示す吊下げ具におけるスライダの他の使用方法を示す正面図であり、(ｂ)はスライダの拡大斜視図である。
【図１１】本考案の実施例２による吊下げ具のレールを正面から見た図である。
【図１２】本考案の実施例２におけるレールにスライダを取り付けた状況を示す部分斜視図である。
【図１３】（ａ）は図１１のＡ−Ａ線断面におけるスライダの離脱状況を示し、(ｂ)は図１１のＡ−Ａ線断面においてスライダを挿入した状況を示し、(ｃ)は図１１のＢ−Ｂ線断面においてスライダを係止片の途中まで移動した状況を示す。
【図１４】（ａ）、(ｂ)は、従来の吊下げ具の取付け状況を示す断面図である。
【符号の説明】
【００４１】
１  吊下げ具
２  天板
２ａ  端部
３  背板
４  レール
５  係止片
５ａ  隙間
６  スライダ
７  小片
８ａ、８ｂ  フック
９  折曲部
９ａ  フックの隙間
１０  天井
１１ａ、１１ｂ  係止溝
１２  線材
１３  結び目
１４  額縁
１５  ネジ穴
１６  ストッパ
１７  ネジ
１８  切欠いた部位
１９  切欠部
２０  取付金具
２１  規制片
２２ａ、２２ｂ  ボード
２３ａ、２３ｂ  ボード受材
２４  切欠き
２５  天井の角部の壁面
【図１】
0003135552.tif 000003
【図２】
0003135552.tif 000004
【図３】
0003135552.tif 000005
【図４】
0003135552.tif 000006
【図５】
0003135552.tif 000007
【図６】
0003135552.tif 000008
【図７】
0003135552.tif 000009
【図８】
0003135552.tif 000010
【図９】
0003135552.tif 000011
【図１０】
0003135552.tif 000012
【図１１】
0003135552.tif 000013
【図１２】
0003135552.tif 000014
【図１３】
0003135552.tif 000015
【図１４】
0003135552.tif 000016